(57)【要約】  製品をパッケージ化および投与するためのデバイスは、パッケージ化されかつ可撓性部分(5)を有するタイプのマウスピース(4)を備えた投与アクセサリにより、較正された用量または液滴の形態で投与される製品を、無菌状態で含むように意図された容器(1)を備え、前記アクセサリは、較正された液滴を投与するための投薬チャンバ(7)を形成する。マウスピースの外壁(8)は、1つまたは複数の開口部(19)を備えた空間(18)の範囲を定め、前記マウスピース(4)の端部は、較正された液滴の投与を可能にする中心チャネル(13)を含み、空間(18)の中に通じている1つまたは複数の側方チャネル(11)に関連付けられる。取り付けた状態において、内側スカート(15)を備えるカバー(14)は、端部においてマウスピース(4)に残存し得るいずれの残余液滴(10)もなくすために過圧を生成する。無菌の製品、特に眼科学における液滴の用量の投与に適用される。
2021522924.tif 000002
【特許請求の範囲】
【請求項１】
略液体、半流体、または懸濁された製品である、製品をパッケージ化および投与するためのデバイスであって、
前記製品(2)を含むように意図された容器(1)と、
マウスピース(4)を備え、用量または決定された液滴(9)の形態の、好ましくは、清浄なまたは無菌の較正された液滴の形態の、前記製品を投与するように作動可能な投与アクセサリと、
所定量の前記製品(2)を格納するための投薬チャンバ(7)と、
前記マウスピース(4)に属する一端(17)であって、中心チャネル(13)が、前記投与アクセサリの作動状態において、前記投薬チャンバ(7)と連通するように形成され、前記用量または前記決定された液滴(9)を吐出できるようにする、一端(17)と、
を備え、
前記マウスピース(4)は、前記中心チャネル(13)の中へと開口し、かつ前記中心チャネルの中に横方向に空気を循環させ、および/または前記用量もしくは前記決定された液滴(9)の排除後に、端部(17)に存在する残余液滴(10)を吹き飛ばすことができる1つまたは複数の側方チャネル(11)をさらに含むことを特徴とするデバイス。
【請求項２】
前記マウスピース(4)は、前記マウスピース(4)の外壁と前記マウスピース(4)の管状の壁との間で範囲が定められる、前記残余液滴(10)を収集するための収集空間(18)を備え、前記収集空間(18)は、前記側方チャネル(11)を介して、前記残余液滴(10)の前記製品(2)を収集することができる、請求項1に記載のデバイス。
【請求項３】
前記マウスピース(4)は、前記投薬チャンバ(7)の範囲を外部的に定める可撓性部分(5)を備え、前記マウスピース(4)の外壁は、前記可撓性部分(5)とは別個の部品(8)により少なくとも部分的に形成されており、
かつ前記マウスピース(4)は、前記外壁と前記可撓性部分(5)に少なくとも部分的に含まれる前記マウスピース(4)の管状の壁との間で範囲が定められる、前記残余液滴(10)を収集するための収集空間(18)を備え、前記収集空間(18)は、前記側方チャネル(11)を介して前記残余液滴(10)を収集できる内側空間である、請求項1に記載のデバイス。
【請求項４】
カバー(14)を前記投与アクセサリに置いたとき、前記中心チャネル(13)の外部出口の側部において、空気を加圧するように構成された前記カバー(14)を備える、請求項1から3のいずれか一項に記載のデバイス。
【請求項５】
前記マウスピース(4)は、前記マウスピース(4)の前記端部(17)へと延びる外側側面を有しており、
かつ前記カバー(14)は、前記外側側面と協動し、および/または前記端部(17)を軸方向に押すことのできる内側スカート(15)を備え、それにより、前記カバー(14)が前記投与アクセサリに対して押下された状態にあるとき、前記中心チャネル(13)に隣接した、前記カバー(14)の内部の容積(16)において過圧を生成することが可能になる、請求項4に記載のデバイス。
【請求項６】
可撓性部分(5)とは別個の部品(8)は、前記マウスピース(4)の前記端部(17)において、前記用量または前記決定された液滴(9)が吐出されるとき、前記製品(2)の一部が、前記可撓性部分(5)と前記部品(8)との間で逃げないようにするために、前記可撓性部分(5)によって形成された管状の壁の一端と協動する1つまたは複数の障壁要素(20)を有することを特徴とする、請求項3のみに、または請求項4もしくは5と組み合わせた請求項3に記載のデバイス。
【請求項７】
前記マウスピース(4)の可撓性部分(5)は、任意選択で、部品(8)の内面と協働する、1つまたは複数の外側弾性リップの形態である弁手段(12)を備え、前記カバー(14)を前記投与アクセサリに近づけて、前記カバー(14)を前記投与アクセサリに向けて押下することにより、前記容積(16)が圧縮されたとき、前記残余液滴(10)が、前記可撓性部分(5)と前記部品(8)との間で内部に延びる収集空間(18)の中に入ることを可能にするが、前記用量または較正された液滴(9)が投与されたとき、前記投薬チャンバ(7)の中の前記製品(2)が、前記収集空間(18)の中に入らないようにし、かつ新しい用量または較正された液滴(9)が投与されるとき、前記収集空間(18)内の前記製品(2)が、前記側方チャネル(11)の中に入らないようにすることを特徴とする、請求項3に従属するときの請求項5に記載のデバイス。
【請求項８】
部品(8)は、収集空間(18)と前記デバイスの外側との間の連通を可能にする、1つまたは複数の開口部(19)を備えることを特徴とする、請求項3のみに、または請求項4から7のいずれか一項と組み合わせた請求項3に記載のデバイス。
【請求項９】
前記マウスピース(4)は、剛性部分(6)に向けて半径方向内側に加えられた圧力によって作動され得る可撓性部分(5)によって囲まれた前記剛性部分(6)を有する、請求項1から8のいずれか一項に記載のデバイス。
【請求項１０】
前記側方チャネルは、前記中心チャネルに対してある角度で延びており、前記角度は、10°と90°の間、好ましくは、10°と50°の間、より好ましくは、20°と30°の間である、請求項1から9のいずれか一項に記載のデバイス。
【請求項１１】
前記側方チャネルは、前記中心チャネルに対して直角に延びている、請求項1から9のいずれか一項に記載のデバイス。
【請求項１２】
圧力平衡オリフィス(25)と、
前記圧力平衡オリフィス(25)を介して前記容器(1)に入る空気をフィルタすることのできるフィルタ組立体(3)と、
を備える、請求項1から11のいずれか一項に記載のデバイス。
【発明の詳細な説明】
【技術分野】
【０００１】
本発明は、パッケージ化の技術的分野に関し、より詳細には、保存薬を添加することなく封止されかつ無菌状態で保存されるように、また投与組立体によって、正確な単位用量の形で投与されるように意図された、半流体または懸濁状態の液体製品をパッケージ化および投与する技術的分野に関する。
【０００２】
さらに詳細には、本発明は、その目的として、製品をパッケージ化および投与するためのデバイスを有し、デバイスは、容器が装着される出口アクセサリにより投与される製品を含むように意図された容器を備え、前記アクセサリはマウスピースを備える。
【背景技術】
【０００３】
その使用される持続期間全体にわたり、その清浄さおよびその無菌性を維持しながら、較正された用量もしくは液滴の形態で、または任意の他の形態で製品を保存し、投与できる従来構造のパッケージ化のためのデバイスが知られている。
【０００４】
これらのデバイスは、特に製薬、化粧、および食品分野で使用され、またさらに特に、眼科学の分野で使用される。
【０００５】
したがって、容器が装着されるアクセサリを形成し、製品を含む容器の壁に対する、またはマウスピースそれ自体に対する圧力により生成される圧力の影響下で開き、かつその弾性の影響下で再度閉じる、可撓性のあるマウスピースを介して製品が吐出されるようなデバイスが知られている。このデバイスにおいて、逆止め弁に関連付けられた細菌学的フィルタが、空気を交換できるオリフィスを備えた容器の底部に位置する。
【０００６】
再充填空気の無菌ろ過を可能にする逆止め弁に関連付けられた細菌学的フィルタを含むこれらのデバイスのすべては、その使用する持続期間にわたり、容器の内側で製品の無菌保存を可能にし、この視点から有効であると考えることができる。
【０００７】
他方で、これらのデバイスは、容器の外側において、またより詳細には、マウスピースの端部において、完全な細菌学的清浄さを保証しないという大きな欠点を有する。
【０００８】
実際には、製品の較正された液滴が、その目的に従って、これらのデバイスに含まれる手段の1つにより吐出されたとき、以降で残余液滴と呼ばれる、この較正された液滴の一部が、マウスピースの端部に残存する。
【０００９】
デバイスと、製品の較正された液滴を吐出するように実装された手段とにかかわらず、デバイスを次に使用するまで、マウスピースの端部に残ることになる残余液滴の形成を回避できないことを経験が示している。
【００１０】
この残余液滴が形成され、その後にも存在することは、容器内に位置し、清浄かつ無菌に保つことのできる製品とは異なり、この残余液滴が、それを汚染させるおそれのある外気と接触したままであるため、大きな欠点を構成する。
【００１１】
保存薬の助けを借りずに、封入し投与する製品を清浄または無菌に保つという、これらの既存のデバイスにより求められる目標は達成されないが、それは、製品が、実際、容器内で清浄に、または無菌に保たれる場合であっても、投与マウスピースの端部において、汚染される可能性があるためである。
【００１２】
この問題を解消するための1つの解決策は、特許文献１において述べられており、それは、残余液滴を、中で乾燥する空洞部に再吸引すること、またはそれを吹き飛ばすことによりマウスピースの端部から吐出することからなる。
【００１３】
しかし、再吸引または送風によって残余液滴を排除しようとするこのタイプのデバイスは、現在まで生産されていないこと、またこの特許の教示の具体化は、非常に困難であることが示されていることに留意されたい。
【００１４】
実際に、提案された技術は、投与アクセサリに対する同じ圧力を用いて、較正された液滴の同時または連続的な投与、および残余液滴の除去を行うことから構成されている。
【先行技術文献】
【特許文献】
【００１５】
【特許文献１】FR0900433
【発明の概要】
【発明が解決しようとする課題】
【００１６】
本発明は、デバイスの外側における細菌汚染の危険の欠点を有することなく、清浄または無菌の製品の較正された液滴を投与できる前記デバイスの使用を可能にすることを目的とする。
【課題を解決するための手段】
【００１７】
このために、本発明は、略液体、半流体、または懸濁された製品をパッケージ化および投与するためのデバイスを提案し、デバイスは、製品を含むように意図された容器と、マウスピースを備え、用量または決定された液滴の形態の、好ましくは、清浄なまたは無菌の較正された液滴の形態の前記製品を投与するように作動可能な投与アクセサリとを備える、デバイスは、
-  所定量の製品を格納するための投薬チャンバと、
-  マウスピースに属する一端であって、中心チャネルが、投与アクセサリの作動状態において、投与チャンバと連通するように形成され、用量または決定された液滴を吐出できるようにする、一端とを備え、
マウスピースは、中心チャネルの中へと開口し、中心チャネルの中に横方向に空気を循環させ、および/または用量もしくは決定された液滴の排除後に、前記端部に存在する残余液滴を吹き飛ばすことができる1つまたは複数の側方チャネルをさらに含む。
【００１８】
したがって、デバイスは、通常、アクセサリに対する、またはアクセサリが装着されるマウスピースに対して単純な圧力を加えることにより、清浄なまたは無菌の製品の較正された用量もしくは液滴を投与できるようになるが、較正された液滴または用量が排除された後、汚染される可能性のある残余液滴が、マウスピースの端部に残らないことを保証する。
【００１９】
中心チャネルが、1つまたは複数の側方チャネル(較正された液滴の排除方向とはオフセットされたチャネル、すなわち、中心チャネルに対してある角度で延びるチャネル)と連通できるようにするマウスピースのこのような構成を用いると、マウスピースの端部に残り得る残余液滴の除去が実際に達成される。デバイスは、中心チャネルが導かれるこの前端部において清浄な状態に留まることができる。前記アクセサリの端部に存在する可能性のある残余液滴は、通常、カバーを置くことによって生成された過圧の作用により、側方チャネルを介して周辺空間に向けて吹き飛ばされたものと理解される。マウスピースの端部において、特定の幾何形状を用いると、デバイスは、側方チャネルとの接合エリアにおいて、このエリアにおける可能な空気の循環に起因して残余液滴を形成させることなく、前記較正された用量または液滴を送達することもできる(較正された液滴の排除中に、側方チャネルにより生成される空気循環の流線は、製品が堆積され得る表面と一致する)。
【００２０】
前述のように、側方チャネルは、較正された液滴の排除方向からオフセットされたチャネルである、すなわち、チャネルは、中心チャネルに対してある角度で延びている。側方チャネルは、中心チャネルの長手方向に対して実質的に平行である較正された液滴の排除方向に対して、例えば、直角に方向付けることができる。側方チャネルはまた、異なる角度に、好ましくは、マウスピースの基部の方向に、すなわち、容器に向けて方向付けることもできる。
【００２１】
側方チャネルは、例えば、中心チャネルに対して、90°未満であるが10°を超える角度、例えば、10°と50°の間、好ましくは20°と30°の間を含む角度に傾けることができる。
【００２２】
側方チャネルは、中心チャネルの直径の少なくとも25%であり、好ましくは、中心チャネルの直径の多くても70%である直径を有することが好ましい。
【００２３】
例えば、側方チャネルの直径は、中心チャネルの直径の30%と60%の間とすることができる。
【００２４】
任意選択で、ろ過組立体が設けられる。
【００２５】
1つの特徴によれば、マウスピースは、可撓性部分と協動する剛性部分を有し、これらの部分の組立体は、決定され、較正された液滴または用量を投与するための投薬チャンバを形成する。
【００２６】
1つの特徴によれば、付加的部品は可撓性部分を囲み、後者と、いくつかの開口部を備える収集空間を形成する。
【００２７】
任意選択で、空気取入れオリフィスが設けられ、圧力平衡オリフィスを形成する。デバイスはまた、圧力平衡オリフィスを介して運ばれる間に、容器に入る空気をフィルタすることのできるろ過組立体を有することもできる。
【００２８】
例として、製品を格納し、かつそれを較正された無菌の液滴または用量の形態で投与できるようにするデバイスは、再充填空気を取り入れるためのオリフィスと、前記空気が、前記容器の内側に達したとき無菌化され得るようにする逆止め弁(すなわち、逆流防止弁)に関連付けられたフィルタとを備える容器を含む。製品は、前記容器の内側に格納され、また前記容器が備えるアクセサリを形成する可撓性のある(少なくとも部分的に)マウスピースにより投与される。このマウスピースは、較正された液滴または用量の容積の決定を可能にする投薬チャンバを含み、またそれが圧縮されたとき、外側から投薬チャンバに向けて空気が貫通するのを阻止する別の逆止め弁の開口により、前記液滴もしくは用量を前記容器の外側に吐出できるようにする。
【００２９】
フィルタは、容器内に、またはアクセサリ内に取り付けることができる。圧力平衡オリフィスは、側方に開くことができ、一方、投与端部は、デバイスの中心軸付近に中心のある軸方向突起部を形成する。
【００３０】
付加的部品または補助部分を、投与マウスピースの可撓性部分の外側に、それ自体と前記可撓性部分との間に空間を取得するために配置できると有利である。
【００３１】
投薬チャンバと容器の内側との間に位置する別の逆止め弁は、投薬チャンバが圧縮されたとき、いずれの製品も、投薬チャンバの内側から容器の内側に戻ることを阻止し、かつ前記投薬チャンバが解放されたとき、容器内に含まれる製品を吸引することにより、前記投薬チャンバを充填できるようにする。
【００３２】
有利には、また本発明の第1の実施形態においては、マウスピースの端部は、投薬チャンバが圧縮されたとき、製品の投与を可能にする長手方向の中心チャネルと、可撓性部分の外側と補助部分との間の残余空間により決定される空洞部に残余液滴を運ぶように働く、前記中心チャネルの基部に設けられた2つのさらなる側方チャネルとを備える。この実施形態では、付加的部品の端部は、保護カバーの内側スカートと封止的に協動する。したがって、保護カバーが配置されたとき、外側から隔離された空間が、マウスピースの端部に位置する長手方向の中心チャネルの周囲に生成され、その中に残余液滴が形成される。この隔離された空間の容積は、カバーが押下されると減少して過圧を生成し、それは、残余液滴を前記中心チャネルの外に出し、次いで側方チャネルを通って、最終的に、可撓性のあるマウスピースの外側と付加的部品との間の存在する空間の中へと駆動する。
【００３３】
こうすることは、製品の残余液滴を、それが乾燥する、閉じられていない空間に向けて、投与マウスピースの端部の外側へと吹き飛ばすことのできるデバイスを、簡単に作製することを可能にする。
【００３４】
別の実施形態では、較正された液滴が投与されたとき、側方チャネルを製品が通過するのを阻止し、カバーが定位置に置かれたとき、投与マウスピースの外側と付加的部品との間の残余空間により決定される空洞部の方向に、残余液滴が進めるようにし、かつデバイスが、製品の新しい用量を送達する用意ができたとき、この残余液滴が、側方チャネルに向けて戻らないようにするために、可撓性のあるマウスピースの端部の外側と、付加的部品の内側の間に、別の逆止め弁が配置される。
【００３５】
本発明の実施形態では、以下の特徴の1つまたは複数のものを、単独で、または互いに組み合わせて提供することができる、
-  マウスピースは、マウスピースの外壁と、マウスピースの管状の壁との間で範囲が定められる、残余液滴を収集するための収集空間を備え、収集空間は、側方チャネルを介して、前記残余液滴の製品を収集することができる。
-  マウスピースは、投薬チャンバの範囲を外部的に定める可撓性部分を備える。
-  マウスピースの外壁は、可撓性部分とは別個の部品により少なくとも部分的に形成される。
-  マウスピースは、外壁と、可撓性部分に少なくとも部分的に含まれるマウスピースの管状の壁との間で範囲が定められる、残余液滴を収集するための収集空間を備える。
-  収集空間は、側方チャネルを介して残余液滴を収集できる内側空間である。
-  デバイスは、カバーを投与アクセサリ上に置いたとき、中心チャネルの外部出口の側部において、空気を加圧するように構成されたカバーを備える。
-  マウスピースは、マウスピースの前記端部へと延びる外側側面を有し、カバーは、この外側側面と協動し、および/または端部を軸方向に押すことのできる内側スカートを備え、それにより、カバーが、投与アクセサリに対して押下された状態にあるとき、中心チャネルに隣接した、カバーの内部の容積において過圧を生成することが可能になる。
-  可撓性部分とは別個の部品は、マウスピースの端部において、用量または決定/較正された液滴が吐出されるとき、製品の一部が、可撓性部分と前記部品との間で逃げないようにするために、可撓性部分によって形成された前記管状の壁の一端と協動する1つまたは複数の障壁要素(例えば、先端部(cusp))を有する。
-  マウスピースの可撓性部分は、任意選択で、前記部品の内面と協動する、1つまたは複数の外側弾性リップ部の形態である弁手段を備え、カバーを投与アクセサリに近づけて、カバーを投与アクセサリに向けて押下することにより、容積(中心チャネルに隣接する)が圧縮されたとき、可撓性部分と部品との間で内部に延びる収集空間の中に、残余液滴が(選択的に)入ることを可能にする。外側リップ部を有するこの構成は、用量または較正された液滴が投与されたとき、投薬チャンバの中の製品が、収集空間の中に入らない(較正された液滴に由来する製品が収集空間に入らない)ようにし、新しい用量または較正された液滴が投与されるとき、収集空間内の製品が、側方チャネルの中に入らないようにする(残余液滴に由来する製品が、空間から側方チャネルへと入らないようにする)ことができるものと理解される。
-  弁手段は、弾性的な戻り作用を有するタイプのものである。
-  弁手段は、通常、環状の接触が、外壁(通常、別個の部品の形で達成される)と、作動され得るマウスピースの可撓性部分との間で達成されるデフォルトの形態を有し、これらの弁手段は、側方チャネルの側部に対する過圧が生じた場合に限って変形することにより可動である(これらの弁手段が押す座面は、側方チャネルの側部に対する押下が生じた場合、弁手段の他方向への動きを阻止する)。
-  弁手段は、前記部品および可撓性部分の一方と、一体に形成される、または固定的に適用される。
-  前記部品は、収集空間と、デバイスの外側との間の連通を可能にする1つまたは複数の開口部を備える(したがって、残余物の乾燥が可能になる)。
-  マウスピースは、可撓性部分と協働する剛性部分を有し、剛性部分のロッド(通常、軸方向に直線である)は、前記ロッドに向けて半径方向内側に加えられた圧力により、作動部分において、作動され得る可撓性部分により囲まれる。
-  マウスピースは、前記剛性部分に向けて半径方向内側に加えられた圧力によって作動され得る可撓性部分によって囲まれた剛性部分を有する。
-  デバイスは、圧力平衡オリフィスと、圧力平衡オリフィスを介して容器に入る空気をフィルタすることのできるフィルタ組立体とを備える。
【００３６】
本発明の他の特徴および利点は、非限定的な例として、本発明の目的の実施形態、および実装形態を示す添付の図面を参照して以下で与えられる説明から明らかになろう。
【図面の簡単な説明】
【００３７】
【図１】投与される製品を含む容器と、空気を再充填する(無菌フィルタおよび逆止め弁を通して)ための組立体と、剛性部分と協働する可撓性部分をここに含み、投薬チャンバを形成し、かつ前記可撓性部分を部分的に囲む補助部分を含む投与アクセサリのマウスピースとを示す、負荷を受けていない場合の本発明によるデバイスの軸方向断面の概略図である。
【図２】較正された液滴を装填および排除し、かつ残余液滴が形成された後の図1で示されたデバイスの軸方向断面図である。
【図３】負荷を受けていない状態にある、中心チャネル、側方チャネル、および可撓性のあるマウスピースの端部と付加的部品との間に位置する逆止め弁をその端部が備える投与マウスピースを示す、本発明によるデバイスの軸方向断面図である。
【図４】可撓性部分が負荷を受けており、したがって、製品の液滴を投与し、かつ可撓性部分の端部の中心チャネルの内側に位置する残余液滴の形成を可能にする、図3で述べられた投与マウスピースを示す図である。
【図５】中心チャネルならびに側方チャネルを示す投与マウスピースの端部の横断面図である。
【図６】投薬チャンバにおける投与マウスピースの横断面図である。
【図７】可撓性部分がもはや負荷を受けていないとき、投与マウスピースの端部の中心チャネルに残余液滴が存在するとき、また保護カバーが存在し、マウスピースに配置される直前であるときの本発明の目的であるデバイスを示す図である。
【図８】保護カバーがマウスピースの方向に押された後に配置され、残余液滴が、可撓性部分と付加的部品との間に位置する収集空間に向けて、中心チャネルの内側から駆動されており、かつ逆止め弁が、前記残余液滴が通過できるように開口位置にあるときの図7と同様の図である。
【発明を実施するための形態】
【００３８】
様々な図において、同じ数値的ラベルは、図示されかつ述べられた様々な実施形態の同様の要素を指定する。いくつかの厚さ寸法は、明確に/理解しやすくするために図面で誇張されることもあり得る。
【００３９】
図1で示されるように、負荷を受けていないデバイスは、投与される製品2を含む容器1と、フィルタ組立体3(任意選択)と、剛性部分6および可撓性部分5からなるマウスピース（mouthpiece）4を含む投与組立体もしくはアクセサリとを備え、このような組立体は、投薬チャンバ7を形成する。
【００４０】
フィルタ組立体3は、例えば、図1で示されるように、投与アクセサリ内に取り付けられたフィルタ要素を備え、かつ空気を、圧力平衡オリフィス25を介して容器1の中に入ることができるようにする。
【００４１】
投与組立体は、可撓性部分5とは別個の外壁を形成する要素を含むことができ、この外壁は、投薬チャンバ7の範囲を定めるように働く可撓性部分5の管状の壁の周辺に配置されるようにすることが理解される。任意選択で、付加的部品8が設けられ、外壁を形成するように、投与組立体4を部分的に囲む。
【００４２】
圧力平衡オリフィス25は、マウスピース4の外壁と、容器1を形成する一体化された本体(示された例では、通常、剛性がある)との間のデバイスの中間領域の中に、例えば、側方に導かれ得る。
【００４３】
図1および図3で特に明確に視認できるように、マウスピース4の前記外壁を形成する付加的部品8は、例えば、投薬チャンバ7を圧縮させて、製品の用量を投与し、かつ負荷がなくなったとき、初期位置へのその戻りを可能にするように、可撓性部分5に圧力をかけることのできる開口部19を備える。この開口部19は、ユーザが、可撓性部分5を押し、かつそれに圧力を加えることを可能にする作動部分を用いて部分的に閉じることもできる。
【００４４】
マウスピース4の外壁におけるこの開口部19および/または別の開口部はまた、可撓性部分5の外側と、付加的部品8の内側との間で範囲が定められた空間18の内側の空気への結合を可能にする。
【００４５】
図2は、可撓性部分5が負荷を受けているときの同じデバイスを示しており、投薬チャンバ7が圧縮され、製品9の容量が吐出されており、残余液滴10が、マウスピース4の端部に形成されている。
【００４６】
図3は、負荷を受けていないときの投与組立体の端部の細部を示す。用量が投与されるときの製品の通路として、可撓性部分5の端部に設けられた、長手方向の中心チャネル13を見ることができ(可撓性部分5の管状の壁から延びる環状壁の一部により範囲が定められている)、また1つまたは複数の側方チャネル11が中心チャネル13の基部に位置する。収集空間18は、可撓性部分5と、可撓性部分5を押すことを可能にし、かつ収集空間18の内側が外側と連通できるようにする1つまたは複数の開口部19を備える付加的部品8との間で範囲が定められる。可撓性部分5の端部は、逆止め弁12(すなわち、一方向に沿ってだけ流体流れを可能にする逆流防止弁)を含み、それは、休止状態にあるとき、部分8の内側との封止を提供する。部分8の端部は、可撓性部分5の端部と封止を形成する円形先端部20、または同様の障壁作用要素を含む。
【００４７】
図4は、可撓性部分5を押すことにより負荷を受けて配置されときの図2で述べられたデバイスを示しており、投薬チャンバ7が圧縮され、製品9の較正された液滴が投与され、残余液滴10が形成され、かつ長手方向の中心チャネル13に残存している。
【００４８】
テイトの法則は、較正された液滴の落下は、その質量と、液滴が形成された端部におけるオリフィスの直径とに依存すること、および前記較正された液滴ならびに残余液滴を生じる液流の破壊(すなわち、液流の分離)から生じることを教示している。
【００４９】
ここで中心チャネル13の基部に設けられる側方チャネル11が存在することは、投与される製品の一定の粘性および表面張力条件の下で、ならびに側方チャネル11および中心チャネル13の適切な相対寸法に対して、テイトの法則が適用されないようにし、かつ残余液滴が形成されることなく較正された液滴9を投与できるようにする。マウスピースの端部にこの堆積物が存在しないことは、軸方向エリアに製品残留物が堆積することに不利な流線、および/または押下条件(中心チャネル13付近の空気に対する)から生じる。
【００５０】
図4で示すように、残余液滴10は、チャネル13に形成され、かつ残存する。製品用量9は、中心チャネル13を通って投与され得る。先端部20は、可撓性部分5の端部と、付加的部品8との間で製品が移動することを阻止するために設けられる。逆止め弁12は、空間18の方向に製品が移動するのを阻止するために設けられる。製品の用量9を発することにより生じる圧力は、前記弁12の弾性抵抗を克服するには十分ではない。
【００５１】
図7は、もはや負荷を受けていないときの投与組立体を示す。製品は、投薬チャンバ7に入り、その後に続いて、製品の新しい用量が投与されるようにし、残余液滴10が、中心チャネル13に残存し、保護カバー14が、投与マウスピース4上に示されている。
【００５２】
カバー14は、内側スカート15を備え、その幾何形状は、付加的部品8の端部17の回りに封止するように摺動できるようにし、閉じた空間16を画定する。
【００５３】
図8において矢印Aにより示されるように、保護カバー14が、投与マウスピース上で押下された場合、スカート15は、付加的部品8の端部17と協動して、空間16内に過圧を生成する。この過圧の影響下で、前記過圧に耐えるには弾性が不十分である弁12が開いた後、残余液滴10は、収集空間18の内側に向けて駆動される。
【００５４】
残余液滴10、10'は、次いで、収集空間18内に位置するが、その開口部19は、外側の空気の移動を可能にし、それにより、残余液滴10、10'を乾燥させることができる。前記残余液滴10、10'を乾燥させることは、細菌の発生を阻止する作用を有することになる。
【００５５】
残余液滴10の完全な乾燥が行われる前にデバイスが使用される場合には、逆止め弁12が、側方チャネル11および中心チャネル13の方向への残余液滴10の戻り、ならびにその後の投与中における製品の較正された用量のその可能性のある巻込みを阻止することになる。
【００５６】
このように、ユーザによる付加的操作を必要とせず、また残余液滴を形成させないことにより、または形成された場合、この残余液滴が、その後に続いて投与される無菌の用量を汚染させないことにより、製品の連続する用量を汚染させないことを可能にする簡単なデバイスが作製される。
【００５７】
本発明の範囲を逸脱することなく他の実施形態も可能である。したがって、様々な数の、また様々な形状を有する投薬チャンバを含むこのようなデバイスを作製することができる。
【符号の説明】
【００５８】
1  容器
2  製品
3  フィルタ組立体
4  マウスピース
5  可撓性部分
6  剛性部分
7  投薬チャンバ
8  付加的部品
9  製品
10、10'  残余液滴
11  側方チャネル
12  逆止め弁
13  中心チャネル
14  保護カバー
15  内側スカート
16  閉じた空間、容積
17  端部
18  収集空間
19  開口部
20  先端部、障壁要素
25  圧力平衡オリフィス
【図１】
2021522924.tif 000003
【図２】
2021522924.tif 000004
【図３】
2021522924.tif 000005
【図４】
2021522924.tif 000006
【図５】
2021522924.tif 000007
【図６】
2021522924.tif 000008
【図７】
2021522924.tif 000009
【図８】
2021522924.tif 000010
【国際調査報告】
2021522924.tif 000011
2021522924.tif 000012